(57)【要約】      （修正有）【課題】抗菌作用を有する広告シールを提供する。【解決手段】対向する第１面１１と第２面１２を備える面状の印刷層１０と、印刷層の第１面側に形成された貼付層２０と、を有し、印刷層の第２面側に第１抗菌層４０を有する。第１抗菌層には、空気触媒が塗布されている。【選択図】図２
0003228020.tif 000002
【実用新案登録請求の範囲】
【請求項１】
対向する第１面と第２面を備える面状の印刷層と、
前記印刷層の前記第１面側に形成された貼付層と、
を有し、
前記印刷層の第２面側に第１抗菌層を有する
ことを特徴とする広告シール。
【請求項２】
請求項１に記載の広告シールであって、
前記第１抗菌層は、空気触媒が塗布されている
ことを特徴とする広告シール。
【請求項３】
請求項１に記載の広告シールであって、
前記第１面側および前記貼付層の間に第２抗菌層を有する
ことを特徴とする広告シール。
【請求項４】
請求項３に記載の広告シールであって、
前記第１抗菌層および前記第２抗菌層は、抗菌ラミネートフィルムである
ことを特徴とする広告シール。
【考案の詳細な説明】
【技術分野】
【０００１】
本考案は、広告シールに関する。
【背景技術】
【０００２】
電車、バス等の車両内には、広告媒体を天井から吊り下げたり、窓枠の上に嵌め込んだり、ガラス等に貼り付けたりする車両広告の表示が行われている。
【０００３】
特許文献１には、車内、室内のガラス等に貼着されるステッカについて記載されている。
【先行技術文献】
【特許文献】
【０００４】
【特許文献１】特開平８−２２７２７０号公報
【考案の概要】
【考案が解決しようとする課題】
【０００５】
車両内の広告媒体は、商品等を紹介するものである。車両内に掲示されるもので、他の効果を奏するものではなかった。
【０００６】
本考案は、抗菌作用を有する広告シールを提供することを目的とする。
【課題を解決するための手段】
【０００７】
本考案は、上記課題の少なくとも１つを解決するものであるが、その例を挙げるならば、次の通りである。すなわち、本考案の一態様である広告シールは、対向する第１面と第２面を備える面状の印刷層と、前記印刷層の前記第１面側に形成された貼付層と、を有し、前記印刷層の第２面側に第１抗菌層を有することを特徴とする。
【０００８】
前記第１抗菌層は、空気触媒が塗布されていてもよい。
【０００９】
前記第１面側および前記貼付層の間に第２抗菌層を有していてもよい。
【００１０】
前記第１抗菌層および前記第２抗菌層は、抗菌ラミネートフィルムであってもよい。
【考案の効果】
【００１１】
本考案によれば、抗菌作用を有する広告シールが提供される。
【図面の簡単な説明】
【００１２】
【図１】本実施形態に係るシールの使用例を示す図である。
【図２】本実施形態に係るシールの断面概略構成例を示す図である。
【図３】本実施形態の変形例に係るシールの断面概略構成例を示す図である。
【考案を実施するための形態】
【００１３】
本考案の実施形態の例について、以下、図に基づいて説明する。
＜実施形態１＞
【００１４】
図１は、本実施形態に係るシール１の使用例を示す図である。本実施形態に係るシール（車両用広告シール）１は、例えば、電車内のドアガラスの窓面、ドア上部、ドア横の戸袋、あるいは車両を連結する壁面などに貼り付けて使用される。
【００１５】
図２は、本実施形態に係るシール１の断面概略構成例を示す図である。シール１は、印刷層１０と、貼付層２０と、剥離層３０と、第１抗菌層４０と、を有する。シール１は、積層して形成され、印刷層１０の一面に貼付層２０が積層され、他面に第１抗菌層４０が積層される。また、貼付層２０の印刷層１０と反対側面に剥離層３０が積層される。シール１は、最上面が第１抗菌層４０となるよう形成されている。シール１の大きさは限定されないが、例えば、１６．５ｃｍ×２０ｃｍの大きさに形成される。
【００１６】
印刷層１０は、面状をしており、対向する第１面１１と第２面１２を備え、第１面１１側に貼付層２０、第２面１２側に第１抗菌層４０が積層している。印刷層１０は、広告用の文字等がインクにより印刷される材料で、例えば、ユポ紙、塩化ビニール紙など、公知の材料が用いられる。
【００１７】
貼付層２０は、印刷層１０の第１面１１に積層される。貼付層２０は、公知の材料が用いられ、シール１が簡単に剥がれず、好ましくは、剥がす際に粘着剤等が貼付面に残らなければ、どのような貼付材料であってもよい。例えば、貼付層２０は、微細なセルが吸盤のように作用し、被着体に密着することで貼りつくタイプの自己吸着シートを用いることができる。または、貼付層２０に用いられる粘着剤として、アクリル系粘着剤、ゴム系粘着剤、シリコーン系粘着剤、ウレタン系粘着剤、ポリエステル系粘着剤などを用いることができる。
【００１８】
剥離層３０は、シール１が使用されるまで貼付層２０に積層されて、貼付層２０を保護し、粘着性の低下を防止する。剥離層３０は、シール１を貼付する際に、貼付層２０から剥離される。このため、本実施形態におけるシール１は、剥離層３０を有していないものも包含される。剥離層３０は、例えば、ポリエチレンテレフタレート等のポリエステルフィルム、ポリプロピレン等のプラスチックフィルム、上質紙、クラフト紙などの紙など公知の材料が用いられる。
【００１９】
第１抗菌層４０は、印刷層１０の第２面１２に積層され、シール１の最上面に位置する。第１抗菌層４０は、印刷面が視認可能な透明であり、空気触媒を塗布した材料により形成される。あるいは、印刷層１０に直接塗布して形成してもよい。空気触媒は、公知のものを用いることができる。空気触媒は、例えば、鉄、アルミニウム、カリウム、およびチタンを含む金属組成物からなるものである。空気触媒に含まれるカリウムが空気中の水分子に衝突し、ヒドロキシルラジカル及び過酸化水素が生成される。過酸化水素と鉄やチタンなどの遷移元素によるフェントン反応によりヒドロキシラジカルが生成される。ヒドロキシラジカルは、強い酸化力を有し、物質を分解・除去するため、抗菌・消臭等の効果を奏する。
【００２０】
図１に示すように、シール１を車両内の広告媒体として、車両内の任意の箇所に貼付する。第１抗菌層４０の空気触媒の働きにより、シール１の表面、および車両内を抗菌・消臭することができる。
【００２１】
本実施形態のシール１によれば、抗菌作用を有するシール１が提供される。なお、印刷層１０は、第１抗菌層４０側からだけでなく、貼付層２０側からも視認可能となるよう、貼付層２０が透明に形成されていてもよい。
【００２２】
図３は、本実施形態の変形例に係るシール１ａの断面概略構成例を示す図である。本変形例では、印刷層１０の第１面１１および第２面１２をラミネート加工してから、印刷層１０の第１面１１側に貼付層２０と剥離層３０を積層させている。
【００２３】
シール１ａは、印刷層１０の第１面１１側および貼付層２０の間に、第２抗菌層４０ｂを備えている。また、シール１ａは、印刷層１０の第２面１２側に第１抗菌層４０ａを備えている。本変形例では、第１抗菌層４０ａおよび第２抗菌層４０ｂは、銀系無機抗菌剤などが練りこまれた透明な抗菌ラミネートフィルムが用いられ、印刷層１０にラミネート加工により積層（接着）されている。第１抗菌層４０ａおよび第２抗菌層４０ｂにより、シール１表面を衛生的に保つことができる。なお、抗菌ラミネートフィルムに、空気触媒を塗布してもよい。シールの表面を抗菌するだけでなく、車両内を抗菌することができる。
【００２４】
以上、本考案に係る車両用広告シールの実施形態について説明したが、これらは本考案の実施形態の一例に過ぎず、本考案はこれらに限定されるものではない。本考案には、上記の各実施形態を組み合わせた形態や、様々な変形例が含まれる。上記いずれかのシートが、他の実施形態の特徴を併せ持つものであってもよい。また、実施形態の中で説明した特徴の組み合わせの全てが考案の課題を解決するための手段に必須であるとは限らない点に留意すべきである。
【符号の説明】
【００２５】
１，１ａ：シール
１０：印刷層
１１：第１面
１２：第２面
２０：貼付層
３０：剥離層
４０，４０ａ：第１抗菌層
４０ｂ：第２抗菌層
【図１】
0003228020.tif 000003
【図２】
0003228020.tif 000004
【図３】
0003228020.tif 000005